【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
入力画像データをフレーム間予測処理を用いて圧縮符号化する画像符号化装置であって、
撮像部より入力される画像データを圧縮符号化する符号化手段と、
前記撮像部の所定の動作に係る制御データを取得し、前記制御データに基づいて前記所定の動作の状態が変化したときに、当該フレームを飛び越したフレーム間予測が禁止される特定フレームの設定を行う設定手段とを備え、
前記符号化手段は、前記設定手段によって設定された前記特定フレームに該当するフレームを所定のフレーム間予測処理によって符号化することを特徴とする画像符号化装置。
【請求項２】
前記設定手段は、前記所定の動作が開始又は終了したときに前記特定フレームの設定を行うことを特徴とする請求項１に記載の画像符号化装置。
【請求項３】
前記制御データは、焦点整合に係る制御データ、ズーム動作に係る制御データ、撮像装置本体の振動検出に係る振動検出データ、撮像装置本体の移動検出に係る移動検出データ、及び、前記画像データに対して特殊効果を付加したときの特殊効果付加制御データのうちの少なくとも何れか１つを含むことを特徴とする請求項１又は２に記載の画像符号化装置。
【請求項４】
前記制御データは、焦点整合に係る制御データであって、
前記設定手段は、前記焦点整合に係る制御データに基づき、焦点整合中の状態から合焦状態に移る時点、及び、合焦状態から焦点整合中の状態に移る時点の少なくとも一方で、前記特定フレームの設定を行うことを特徴とする請求項１に記載の画像符号化装置。
【請求項５】
前記制御データは、ズーム動作に係る制御データであって、
前記設定手段は、前記ズーム動作に係る制御データに基づき、前記ズーム動作が動作中の状態から停止状態に移る時点、及び、停止状態から動作開始する時点の少なくとも一方で、前記特定フレームの設定を行うことを特徴とする請求項１に記載の画像符号化装置。
【請求項６】
前記制御データは、撮像装置本体の移動に係る制御データであって、
前記設定手段は、前記撮像装置本体の移動に係る制御データに基づき、前記撮像装置本体が移動中の状態から停止状態に移る時点、及び、停止状態から移動開始する時点の少なくとも一方で、前記特定フレームの設定を行うことを特徴とする請求項１に記載の画像符号化装置。
【請求項７】
前記制御データは、前記画像データに対する特殊効果の付加に係る制御データであって、
前記設定手段は、前記特殊効果の付加に係る制御データに基づき、特殊効果を付加していない状態から付加する状態に移る時点、及び、該特殊効果を付加している状態から付加していない状態に移る時点の少なくとも一方で、前記特定フレームの設定を行うことを特徴とする請求項１に記載の画像符号化装置。
【請求項８】
入力画像データをフレーム間予測処理を用いて圧縮符号化する画像符号化装置であって、
前記入力画像データを圧縮符号化する符号化手段と、
前記入力画像データにおけるフレーム間の相関を判定する画像相関判定手段と、
前記画像相関判定手段によって前記フレーム間の相関が無いと判定されたときに、当該フレームを飛び越したフレーム間予測が禁止される特定フレームの設定を行う設定手段とを備え、
前記符号化手段は、前記設定手段によって設定された前記特定フレームに該当するフレームを所定のフレーム間予測処理によって符号化することを特徴とする画像符号化装置。
【請求項９】
前記設定手段は、前記画像相関判定手段によって前記フレーム間の相関が無いと判定された直後のフレームを、前記特定フレームに設定することを特徴とする請求項８に記載の画像符号化装置。
【請求項１０】
前記符号化手段は、前記特定フレームに該当するフレームを、前記フレーム間予測処理における参照関係に制限のあるＰピクチャとして符号化することを特徴とする請求項１乃至９の何れか１項に記載の画像符号化装置。
【請求項１１】
入力画像データをフレーム間予測処理を用いて圧縮符号化する画像符号化方法であって、
撮像部の所定の動作に係る制御データを取得し、前記制御データに基づいて前記所定の動作の状態が変化したときに、当該フレームを飛び越したフレーム間予測が禁止される特定フレームの設定を行う設定ステップと、
前記撮像部より入力される画像データを圧縮符号化するステップであって、前記設定ステップによって設定された前記特定フレームに該当するフレームを所定のフレーム間予測処理によって符号化する符号化ステップとを含むことを特徴とする画像符号化方法。
【請求項１２】
入力画像データをフレーム間予測処理を用いて圧縮符号化する画像符号化方法であって、
前記入力画像データにおけるフレーム間の相関を判定する画像相関判定ステップと、
前記画像相関判定ステップによって前記フレーム間の相関が無いと判定されたときに、当該フレームを飛び越したフレーム間予測が禁止される特定フレームの設定を行う設定ステップと、
前記入力画像データを圧縮符号化するステップであって、前記設定ステップによって設定された前記特定フレームに該当するフレームを所定のフレーム間予測処理によって符号化する符号化ステップとを含むことを特徴とする画像符号化方法。
【請求項１３】
請求項１１又は１２に記載の画像符号化方法をコンピュータに実行させるためのプログラム。
【請求項１４】
請求項１３に記載のプログラムを記録したコンピュータ読み取り可能な記録媒体。
【手続補正２】
【補正対象書類名】明細書
【補正対象項目名】００１６
【補正方法】変更
【補正の内容】
【００１６】
本発明の画像符号化装置の第１の態様は、入力画像データをフレーム間予測処理を用いて圧縮符号化する画像符号化装置であって、撮像部より入力される画像データを圧縮符号化する符号化手段と、前記撮像部の所定の動作に係る制御データを取得し、前記制御データに基づいて前記所定の動作の状態が変化したときに、当該フレームを飛び越したフレーム間予測が禁止される特定フレームの設定を行う設定手段とを備え、前記符号化手段は、前記設定手段によって設定された前記特定フレームに該当するフレームを所定のフレーム間予測処理によって符号化することを特徴とする。
本発明の画像符号化装置の第２の態様は、入力画像データをフレーム間予測処理を用いて圧縮符号化する画像符号化装置であって、前記入力画像データを圧縮符号化する符号化手段と、前記入力画像データにおけるフレーム間の相関を判定する画像相関判定手段と、前記画像相関判定手段によって前記フレーム間の相関が無いと判定されたときに、当該フレームを飛び越したフレーム間予測が禁止される特定フレームの設定を行う設定手段とを備え、前記符号化手段は、前記設定手段によって設定された前記特定フレームに該当するフレームを所定のフレーム間予測処理によって符号化することを特徴とする。
本発明の画像符号化方法の第１の態様は、入力画像データをフレーム間予測処理を用いて圧縮符号化する画像符号化方法であって、撮像部の所定の動作に係る制御データを取得し、前記制御データに基づいて前記所定の動作の状態が変化したときに、当該フレームを飛び越したフレーム間予測が禁止される特定フレームの設定を行う設定ステップと、前記撮像部より入力される画像データを圧縮符号化するステップであって、前記設定ステップによって設定された前記特定フレームに該当するフレームを所定のフレーム間予測処理によって符号化する符号化ステップとを含むことを特徴とする。
本発明の画像符号化方法の第２の態様は、入力画像データをフレーム間予測処理を用いて圧縮符号化する画像符号化方法であって、前記入力画像データにおけるフレーム間の相関を判定する画像相関判定ステップと、前記画像相関判定ステップによって前記フレーム間の相関が無いと判定されたときに、当該フレームを飛び越したフレーム間予測が禁止される特定フレームの設定を行う設定ステップと、前記入力画像データを圧縮符号化するステップであって、前記設定ステップによって設定された前記特定フレームに該当するフレームを所定のフレーム間予測処理によって符号化する符号化ステップとを含むことを特徴とする。
本発明のプログラムは、前記画像符号化方法の第１の態様又は第２の態様をコンピュータに実行させることを特徴とする。
本発明のコンピュータ読み取り可能な記録媒体は、前記プログラムを記録したことを特徴とする。
【手続補正３】
【補正対象書類名】明細書
【補正対象項目名】００１７
【補正方法】変更
【補正の内容】
【００１７】
本発明においては、撮像部の所定の動作に係る制御データに基づいて、当該所定の動作の状態が変化したときに、又は、入力画像データにおけるフレーム間の相関が無いと判定されたときに、当該フレームを飛び越したフレーム間予測が禁止される特定フレームの設定を行うように構成している。従って、例えば合焦した直後の画像やシーンチェンジ直後の画像等の注目度の高い画像部分に対して効率的にランダムアクセスポイントを設定することができる。よって、本発明によれば、符号化効率を損なわず画像ストリーム途中からのランダムアクセスが可能な画像ストリームを生成することが可能となる。